(57)【要約】【課題】大きなキートップを採用して操作性を確保するとともに内部の実装面積を小さくして筐体の小型化を可能とし、操作荷重のばらつきを抑えることができる携帯端末を提供する。【解決手段】押し子５２を、キートップ５１１の平面輪郭形状の中心に対して偏芯した位置に設ける。また、支持脚部５３，５５を、キートップ５１１の平面輪郭形状の中心に対して、押し子５２の偏芯方向とは反対側の位置に設ける。これにより、キートップ５１１の中心を指で押すと、荷重は、キートップ５１１の中心に対して両側の押し子５２と支持脚部５３，５５に分散されるので、あたかもキートップ５１１の中心と押し子５２の中心とが一致しているように移動する。このため、大きなキートップ５１１を採用して操作性を確保するとともに内部の実装面積を小さくして筐体１１の小型化を可能とし、操作荷重のばらつきを抑えることができる。【選択図】図３
2013101874.tif 000002
【特許請求の範囲】
【請求項１】
筐体と、
前記筐体に設けられた開口と、
前記筐体に収容された回路基板と、
前記開口に収容されるとともに、前記回路基板の表面に設けられた接点を押圧するキー部材と、を備え、
前記キー部材が、
前記開口から平面略四角形のキートップが露出するキー本体と、
前記キー本体における前記回路基板側に設けられ、前記接点を押圧する押し子と、
前記キー本体における前記回路基板側に設けられ、前記回路基板における前記接点以外の箇所に当接可能な支持脚部と、を有し、
前記キートップの平面輪郭形状の中心に対して前記押し子が偏芯した位置に設けられているとともに、前記キートップの平面輪郭形状の中心に対して前記支持脚部が前記押し子の偏芯方向とは反対側の位置に設けられている携帯端末。
【請求項２】
筐体と、
前記筐体に設けられた開口と、
前記筐体に収容された回路基板と、
前記開口に収容されるとともに、前記回路基板の表面に設けられた接点を押圧するキー部材と、を備え、
前記キー部材が、
前記開口から平面略四角形のキートップが露出するキー本体と、
前記キー本体における前記回路基板側に設けられ、前記接点を押圧する押し子と、
前記キー本体における前記回路基板側に設けられ、前記回路基板における前記接点以外の箇所に当接可能な支持脚部と、を有し、
前記キートップの平面輪郭形状の中心に対して、前記キートップにおける第１の辺方向に対して平行、かつ、前記押し子に対する接線よりも、前記第１の辺に対して交差する第２の辺に沿った方向に偏芯した位置に設けられている携帯端末。
【発明の詳細な説明】
【技術分野】
【０００１】
本発明は、複数個の押しボタン式のキー部材を有する携帯端末に関するものである。
【背景技術】
【０００２】
従来より、複数個の押しボタン式のキー部材を有する携帯端末が知られている（例えば、特許文献１参照）。
図７に示すように、特許文献１に記載の携帯端末１００においては、照光式キーシート１０１が用いられており、透光性のゴム状弾性体からなるベースシート１０２を備える。
ベースシート１０２の操作面側となる表面には、複数（ここでは３つ）のキートップ１０３が円柱状に突設されている。
隣り合うキートップ１０３同士の間には、矩形状の遮光用開口部１０４が貫通形成される。この遮光用開口部１０４は、照光対象とするキートップ１０３への照光によって、照光対象としない隣接するキートップ１０３までもが照光しているように見えるという“波及的照光”を生じないようにするために形成されている。
なお、組立時などの取扱性を確保するため、隣り合うキートップ１０３同士の連結部分である外縁連結部１０５を設けてある。
【０００３】
ベースシート１０２の裏面には、キートップ１０３ごとに押し子１０６が円柱状に形成されている。押し子１０６は基板の接点スイッチを押圧する部分である。各押し子１０６の隣には、押し子１０６よりも突出長さの短い円柱状の入光用突起部１０７が形成されている。入光用突起部１０７の先端面は、基板に実装した光源（図示省略）と対向する。
これにより、複数のキートップ１０３のうち、特定のキートップ１０３のみを高輝度で照光できる。
【先行技術文献】
【特許文献】
【０００４】
【特許文献１】特開２００６−３３８９７２号公報（第１図）
【発明の概要】
【発明が解決しようとする課題】
【０００５】
しかしながら、前述したような携帯端末１００のように３個のキートップ１０３が並ぶ場合には、操作性の観点からキートップ１０３を大きくすることが望まれる。この場合、携帯端末１００の小型化、表示部の大型化の観点から、キーに関わる内部構造の占有面積が制限される。
このため、図８（Ａ）に示すように、３連キーの左右のキーにおいて、キートップ１０３に設けられてスイッチを押圧する押し子１０６の中心位置Ｐ１をキートップ１０３の中心位置Ｐ２からずらすとともに、支持脚部１０８を設ける場合がある。
この場合、図８（Ｂ）に示すように、支持脚部１０８が支点となり、指Ｆで押すキートップ１０３の中心位置Ｐ２が力点、スイッチを押す押し子１０６が作用点となるため、押し子１０６に直接力を加える中心キーより大きな荷重が必要となる。
また、キートップ１０３が回転して転ぶような感覚が生じ、操作感のばらつきが生じるという問題があった。
【０００６】
本発明は、従来の問題を解決するためになされたもので、大きなキートップを採用して操作性を確保するとともに内部の実装面積を小さくして筐体の小型化を可能とし、操作荷重のばらつきを抑えることができる携帯端末を提供することを目的とする。
【課題を解決するための手段】
【０００７】
本発明の携帯端末は、筐体と、前記筐体に設けられた開口と、前記筐体に収容された回路基板と、前記開口に収容されるとともに、前記回路基板の表面に設けられた接点を押圧するキー部材と、を備え、前記キー部材が、前記開口から平面略四角形のキートップが露出するキー本体と、前記キー本体における前記回路基板側に設けられ、前記接点を押圧する押し子と、前記キー本体における前記回路基板側に設けられ、前記回路基板における前記接点以外の箇所に当接可能な支持脚部と、を有し、前記キートップの平面輪郭形状の中心に対して前記押し子が偏芯した位置に設けられているとともに、前記キートップの平面輪郭形状の中心に対して前記支持脚部が前記押し子の偏芯方向とは反対側の位置に設けられたものである。
【０００８】
また、本発明の携帯端末は、筐体と、前記筐体に設けられた開口と、前記筐体に収容された回路基板と、前記開口に収容されるとともに、前記回路基板の表面に設けられた接点を押圧するキー部材と、を備え、前記キー部材が、前記開口から平面略四角形のキートップが露出するキー本体と、前記キー本体における前記回路基板側に設けられ、前記接点を押圧する押し子と、前記キー本体における前記回路基板側に設けられ、前記回路基板における前記接点以外の箇所に当接可能な支持脚部と、を有し、前記キートップの平面輪郭形状の中心に対して、前記キートップにおける第１の辺方向に対して平行、かつ、前記押し子に対する接線よりも、前記第１の辺に対して交差する第２の辺に沿った方向に偏芯した位置に設けられたものである。
【発明の効果】
【０００９】
本発明は、押し子をキートップの平面輪郭形状の中心に対して偏芯した位置に設け、支持脚部をキートップの平面輪郭形状の中心に対して、押し子の偏芯方向とは反対側の位置に設けたので、大きなキートップを採用して操作性を確保するとともに内部の実装面積を小さくして筐体の小型化を可能とし、操作荷重のばらつきを抑えることができるという効果を有する携帯端末を提供できる。
【図面の簡単な説明】
【００１０】
【図１】本発明に係る携帯端末を表面側から見た状態を示す斜視図
【図２】図１中ＩＩ−ＩＩ位置の断面図
【図３】携帯端末の後端部の分解斜視図
【図４】図１中ＩＶ方向から見た携帯端末の後端部の平面図
【図５】（Ａ）は支持脚部の配置を示すキーカバーを下方から見た斜視図であり、（Ｂ）はキーカバーの底面図
【図６】図４中ＶＩ−ＶＩ位置の断面図
【図７】従来の携帯端末の要部を示す平面図
【図８】（Ａ）は従来の携帯端末の問題点を示す断面図であり、（Ｂ）は説明図
【発明を実施するための形態】
【００１１】
以下、本発明に係る実施形態の携帯端末について、図面を用いて説明する。
図１に示すように、本発明の実施形態である携帯端末１０は、筐体１１と、筐体１１の内部に収容された電池パック１５と、電池パック１５に隣接する第１回路基板１６および第２回路基板（回路基板）１７とを備えている。
【００１２】
図２に示すように、携帯端末１０は、第２回路基板１７の裏面１７１に接続されたバイブレータ２１、アンテナ２２およびマイクロフォン２３を備えている。
バイブレータ２１は、第１ばね接点２５を介して第２回路基板１７の裏面１７１に接続されている。
アンテナは、第２ばね接点２６を介して第２回路基板１７の裏面１７１に接続されている。
【００１３】
さらに、携帯端末１０は、第２回路基板１７の表側に複数の接点であるドーム２８および複数の押し子５２を介して配置された複数のキー（キー部材）５０とを備えている。
複数の押し子５２は、可撓性のシート５４に一体に形成されている。
【００１４】
図３に示すように、筐体１１は、ケース１２にカバー１３が取り付けられることにより略矩形体状に形成されている。
第１回路基板１６および第２回路基板１７（図１参照）の表側にカバー１３が設けられている。
【００１５】
カバー１３の表面（すなわち、筐体１１の表面）１３１に表示部３３が設けられ、表示部３３の上部に受信部３４（図１参照）が設けられ、表示部３３の下方に隣接して直通孔３５が設けられている。
直通孔３５の下方にマイクロフォン２３が設けられている。直通孔３５は複数のキー５０の左側に設けられている。
【００１６】
図１、図２に示すように、ケース１２において、表示部３３の裏側に電池収容部３７が凹状に設けられている。この電池収容部３７に略矩形体状の電池パック１５が収容されている。
電池パック１５の上方に隣接する位置に略矩形体状の第１回路基板１６が配置されている。電池収容部３７に電池蓋３９が設けられることにより、電池蓋３９で電池収容部３７および電池パック１５が覆われている。
【００１７】
第１回路基板１６は、筐体１１の内部に収容され、電池パック１５および受信部３４間でかつ表示部３３の裏側に配置されている。
電池パック１５に隣接し、かつ、第１回路基板１６とは反対側の位置に略矩形体状の第２回路基板１７が配置されている。
第２回路基板１７は、筐体１１の内部に収容され、電池パック１５や表示部３３の下方に隣接して配置されている。
【００１８】
第２回路基板１７の裏側に、第１ばね接点２５および第２ばね接点２６を介してバイブレータ２１およびアンテナ２２が各々接続されている。
すなわち、第２回路基板１７の裏面１７１にバイブレータ２１が設けられ、バイブレータ２１が第１ばね接点２５を介して第２回路基板１７の裏面１７１に接続されている。
また、第２回路基板１７の裏面１７１側にアンテナ２２が設けられ、アンテナ２２が第２ばね接点２６を介して第２回路基板１７の裏面１７１に接続されている。
さらに、第２回路基板１７の裏面１７１にマイクロフォン２３が接続されている。
【００１９】
ここで、図３に示すように、カバー１３の表面（筐体１１の表面）１３１のうち、表示部３３の下方に隣接して開口４２およびマイク音孔４４が設けられている。
開口４２は、カバー１３の幅方向に延びるように長孔状に形成され、複数の押し子５２および複数のドーム２８（図２参照）の上方に配置されている。
マイク音孔４４は、マイクロフォン２３の上方に配置されている。
【００２０】
図２に示すように、複数のドーム２８は第２回路基板１７の表面１７２に接続されている。また、マイクロフォン２３は第２回路基板１７の裏面１７１に接続されている。
よって、第２回路基板１７の表面１７２側に、開口４２やマイク音孔４４が配置されている。
【００２１】
図３に示すように、開口４２およびマイク音孔４４の上方にキーカバー４６が設けられている。
キーカバー４６は、略矩形状に形成され、カバー１３の表面１３１のうち表示部３３の下方に隣接して設けられている。
このキーカバー４６は、開口４２の上方に形成されたキー孔４７と、キー孔４７の左側に隣接して設けられた直通孔３５とを有する。直通孔３５は、マイク音孔４４の上方に形成されている。
【００２２】
キー孔４７は、カバー１３の幅方向に延びるように長孔状に形成され、開口４２に連通されている。
開口４２にキー孔４７を経て複数のキー５０が収容されることにより、第２回路基板１７の表面側に設けられている。
図２および図４に示すように、複数のキー５０が開口４２に収容されることにより、複数の押し子５２に各々当接されている。
複数の押し子５２は、複数のドーム２８の上方に設けられている。
複数のドーム２８は、第２回路基板１７の表面１７２に接続されている。
よって、キー５０を押し下げることにより、押し子５２を介してドーム２８が押圧される。
【００２３】
図４に示すように、キー５０は、キー本体５１と、押し子５２と、支持脚部５３、５５とを有する。なお、各キー５０を区別する場合には、左側キー５０１，中央キー５０２，右側キー５０３で示す。
キー本体５１は、開口４２およびキー孔４７から露出する平面略四角形のキートップ５１１を有する。
図４および図５に示すように、支持脚部５３、５５は、キー本体５１における第２回路基板１７側に設けられ、シート５４におけるドーム２８以外の箇所に当接可能となっている。
【００２４】
次に、キートップ５１１の平面輪郭形状の中心ＣＰ１と、押し子５２の中心ＣＰ２と、支持脚部５３、５５の中心ＣＰ３との位置関係を説明する。
まず、筐体１１の幅方向に偏芯して設けられている支持脚部５３について説明する。
キートップ５１１の平面輪郭形状の中心ＣＰ１に対して、押し子５２が偏芯した位置に設けられているとともに、キートップ５１１の平面輪郭形状の中心ＣＰ１に対して支持脚部５３が押し子５２の偏芯方向とは反対側の位置に設けられている。
【００２５】
図２および図４に示すように、左右のキー５０１，５０３で筐体１１の幅方向における押し子５２の中心ＣＰＡ２は、キートップ５１１の平面輪郭形状の中心ＣＰ１に対して、幅方向内側に偏芯した位置に設けられている。
すなわち、左側キー５０１の押し子５２の中心ＣＰＡ２は右側へ、右側キー５０３の押し子５２の中心ＣＰＡ２は左側へ偏芯している。
【００２６】
また、支持脚部５３の中心ＣＰＡ３は、キートップ５１１の平面輪郭形状の中心ＣＰ１に対して、押し子５２の偏芯方向とは反対側の位置に設けられている。
すなわち、左側キー５０１の支持脚部５３の中心ＣＰＡ３は左側へ、右側キー５０３の支持脚部５３の中心ＣＰＡ２は右側へずれている。
また、中央キー５０２では、平面輪郭形状の中心ＣＰ１と押し子５２の中心ＣＰＡ２とは筐体の幅方向の同じ位置にあり、支持脚部５３は設けられていない。
なお、キートップ５１１の平面輪郭形状の中心ＣＰ１は、平面視で１点であるので、幅方向および長手方向について、同じ符号ＣＰ１で示す。
【００２７】
次に、筐体１１の長手方向に偏芯した支持脚部５５について説明する。
この場合、図４に示すように、第１の辺ＬＡ１を筐体１１の長手方向（図４において左右方向）とし、第２の辺ＬＡ２を筐体１１の幅方向（図４において上下方向）とすることができる。
なお、接線ＴＬＡは第１の辺ＬＡ１と平行に採ることができる。
【００２８】
この場合においても、図６に示すように、筐体１１の長手方向における押し子５２の中心ＣＰＢ２は、キートップ５１１の平面輪郭形状の中心ＣＰ１に対して、偏芯（図６においては左側）した位置に設けられている。
また、支持脚部５５の筐体１１の長手方向における中心ＣＰＢ３は、キートップ５１１の平面輪郭形状の中心ＣＰ１に対して、押し子５２の偏芯方向とは反対側（図６においては右側）の位置に設けられている。
【００２９】
さらに、図４に示すように、支持脚部５５は、キートップ５１１の平面輪郭形状の中心ＣＰ１に対して、キートップ５１１における第１の辺ＬＡ１方向に対して平行、かつ、押し子５２に対する接線ＴＬＡよりも、第２の辺ＬＡ２に沿った方向に偏芯した位置に設けられる。
すなわち、支持脚部５５は押し子５２接線ＴＬＡに直交する第２の辺ＬＡ２の方向に偏芯している。具体的には、外側のキー５０１は筐体１１の幅方向内側へ、キー５０３は筐体１１の幅方向外側へ偏芯している。なお、真ん中のキー５０２については、第２の辺ＬＡ２の方向（すなわち、幅方向）の偏芯はない。
【００３０】
以上、説明した本発明に係る実施形態の携帯端末１０によれば、キー５０は、筐体１１の開口４２に収容された第２回路基板１７の表面１７２に設けられたドーム２８を押圧する。キー５０は、キー本体５１と押し子５２と支持脚部５３，５５を有する。キー本体５１は、開口４２から露出する平面略四角形のキートップ５１１を有する。押し子５２は、キー本体５１における第２回路基板１７側に設けられ、ドーム２８を押圧する。支持脚部５３，５５は、第２回路基板１７におけるドーム２８以外の箇所に当接可能となっている。
【００３１】
そして、押し子５２を、キートップ５１１の平面輪郭形状の中心ＣＰ１に対して偏芯した位置に設ける。また、支持脚部５３，５５を、キートップ５１１の平面輪郭形状の中心ＣＰ１に対して、押し子５２の偏芯方向とは反対側の位置に設ける。
【００３２】
これにより、キートップ５１１の中心を指で押すと、荷重は、キートップ５１１の中心ＣＰ１に対して両側に位置する押し子５２と支持脚部５３，５５に分散されるので、あたかもキートップ５１１の中心と押し子５２の中心とが一致しているように移動する。このため、大きなキートップ５１１を採用して操作性を確保するとともに内部の実装面積を小さくして筐体１１の小型化を可能とし、操作荷重のばらつきを抑えることができる。
【００３３】
また、キー５０は、筐体１１の開口４２に収容された第２回路基板１７の表面に設けられたドーム２８を押圧する。キー５０は、キー本体５１と押し子５２と支持脚部５３，５５を有する。キー本体５１は、開口４２から露出する平面略四角形のキートップ５１１を有する。押し子５２は、キー本体５１における第２回路基板１７側に設けられ、ドーム２８を押圧する。支持脚部５３，５５は、第２回路基板１７におけるドーム２８以外の箇所に当接可能となっている。
【００３４】
そして、支持脚部５５を、キートップ５１１の平面輪郭形状の中心ＣＰ１に対して、キートップにおける第１の辺ＬＡ１方向に対して平行、かつ、押し子５２に対する接線ＴＬＡよりも、第１の辺ＬＡ１に対して交差する第２の辺ＬＡ２に沿った方向に偏芯した位置に設ける。
【００３５】
これにより、キートップ５１１の中心を指で押すと、荷重は、キートップ５１１の中心に対して両側の押し子５２と支持脚部５５に分散されるので、あたかもキートップ５１１の中心と押し子５２の中心とが一致しているように移動する。このため、大きなキートップ５１１を採用して操作性を確保するとともに内部の実装面積を小さくして筐体１１の小型化を可能とし、操作荷重のばらつきを抑えることができる。
【００３６】
なお、本発明の携帯端末は、前述した実施形態に限定されるものでなく、適宜な変形，改良等が可能である。
【産業上の利用可能性】
【００３７】
以上のように、本発明にかかる携帯端末は、押し子をキートップの平面輪郭形状の中心に対して偏芯した位置に設け、支持脚部をキートップの平面輪郭形状の中心に対して、押し子の偏芯方向とは反対側の位置に設けたので、大きなキートップを採用して操作性を確保するとともに内部の実装面積を小さくして筐体の小型化を可能とし、操作荷重のばらつきを抑えることができるという効果を有し、複数個の押しボタン式のキー部材を有する携帯端末等として有用である。
【符号の説明】
【００３８】
１０  携帯端末
１１  筐体
１７  第２回路基板（回路基板）
２８  ドーム（接点）
４２  開口
５０  キー（キー部材）
５１  キー本体
５１１  キートップ
５２  押し子
５３，５５  支持脚部
ＣＰ１  キートップの中心
ＬＡ１  第１の辺
ＬＡ２  第２の辺
ＴＬＡ  接線
【図１】
2013101874.tif 000003
【図２】
2013101874.tif 000004
【図３】
2013101874.tif 000005
【図４】
2013101874.tif 000006
【図５】
2013101874.tif 000007
【図６】
2013101874.tif 000008
【図７】
2013101874.tif 000009
【図８】
2013101874.tif 000010